(57)【要約】【課題】当該数字選択式宝くじ又はビンゴゲーム用の愛好者が、低コストで、然も、何時でも、何処でも容易に利用でき、且つ他人まかせの状況ではなく、或る程度自己責任の下で、所望の数値を選択できる番号選択具を提供する。【解決手段】平板状の本体部２に、所定の形状を持った複数個のコマ部材３が取り外し自在に嵌め込まれている数字選択式宝くじ用又はビンゴゲーム用ビンゴゲーム用番号選択具１。【選択図】図１
0003105211.tif 000002
【実用新案登録請求の範囲】
【請求項１】
平板状の本体部に、所定の形状を持った複数個のコマ部材が取り外し自在に嵌め込まれている事を特徴とする数字選択式宝くじ用或いはビンゴゲーム用番号選択具。
【請求項２】
当該平板状の本体部と当該コマ部材は、同一の材料で構成されている事を特徴とする請求項１に記載の番号選択具。
【請求項３】
当該本体部と当該コマ部材とは、金属板状体、合成樹脂板状体、発泡合成樹脂板状体、紙板状体、粉体成型体或いはこれらの積層材若しくは複合材からなる板状体の何れかにより形成されている事を特徴とする請求項１又は２に記載の番号選択具。
【請求項４】
当該コマ部材は、表裏２面を有する平板状の部材であって、平面形状が、円形、楕円形、三角形、四角形を含む矩形、台形、５角形若しくはそれ以上の多角形、半円形、三日月形、星形、歯車形、或いはこれらの何れかを適宜組み合わせた形状から選択された一つの平面形状を有している事を特徴とする請求項１乃至３の何れかに記載の番号選択具。
【請求項５】
当該複数個のコマ部材は、何れも同一の大きさに形成され且つ同一の平面形状を有しているものである事を特徴とする請求項１乃至４の何れかに記載の番号選択具。
【請求項６】
当該本体部には、当該コマ部材の平面形状と外形寸法と同一の内径寸法を有し、且つ当該コマ部材の平面形状と同一の平面形状を持つ開口部が設けられており、当該コマ部材が当該開口部内に着脱自在に嵌合保持せしめられている事を特徴とする請求項１乃至５の何れかに記載の番号選択具。
【請求項７】
当該開口部は当該本体部にマトリックス状に規則的に配置されている事を特徴とする請求項６に記載の番号選択具。
【請求項８】
当該複数個のコマ部材のそれぞれには、０から４３又は１〜７５までの番号の何れかが表記されている事を特徴とする請求項１乃至７の何れかに記載の番号選択具。
【請求項９】
当該複数個のコマ部材のそれぞれの表裏両面に同一の番号が付与されている事を特徴とする請求項８記載の番号選択具。
【請求項１０】
当該複数個の当該コマ部材の一部には、当該番号が付与されていないコマ部材を含めておき、当該番号が表記されていないコマ部材をスペアーとして使用する事を特徴とする請求項１乃至８の何れかに記載の番号選択具。
【請求項１１】
当該請求項１乃至１０に記載の番号選択具と適宜の不透明性を持つ袋若しくは箱体とを組み合わせた事を特徴とする数字選択式宝くじ用或いはビンゴゲーム用番号選択セット。
【請求項１２】
当該箱体は、折り畳式或いは組み立て式の箱体である事を特徴とする請求項１１に記載の数字選択式宝くじ用或いはビンゴゲーム用番号選択セット。
【請求項１３】
当該数字選択式宝くじ用或いはビンゴゲーム用番号選択セットには、当該番号選択具の使用方法を説明した説明書が含まれている事を特徴とする請求項１１又は１２に記載の数字選択式宝くじ用或いはビンゴゲーム用番号選択セット。
【考案の詳細な説明】
【技術分野】
【０００１】
本考案は、数字選択式宝くじ用或いはビンゴゲーム用番号選択具に関するものであり、更に詳しくは、種々の数字選択式宝くじのマークシートに記入するための数字或いはビンゴゲーム用マークシートの数字を容易に決定する事が出来る番号選択具に関するものである。
【背景技術】
【０００２】
近年、数字選択式宝くじが公衆の人気を集めており、当該数字選択式宝くじが、全国的にかなりの頻度で実施されている。叉、ビンゴゲームが大勢の人が集まった時の余興ゲームとして人気を集めている。
【０００３】
本考案では、本考案の番号選択具について、宝くじの場合を例として説明するが、本考案をビンゴゲーム用の番号選択具として応用できることは当然のことである。
【０００４】
そこで、現在最も知名度の高い当該数字選択式宝くじとしては、例えば、『ＬＯＴＯ６』、『ＭＩＮＩＬＯＴＯ』、『ＮＵＭＢＥＲＳ４』或いは『ＮＵＭＢＥＲＳ３』と称されている宝くじで、何れも、所定の様式を持つマークシートが印刷された投票用紙が使用され、当該投票用紙、当該投票用紙の購入者が複数の数字を任意に選択し記入するものであり、当該投票用紙のマークシート上で選択記入された数値が、当選番号と一致した場合にその投票用紙が当選とされ、所定の賞金が還元される仕組みになっている。
【０００５】
例えば、『ＬＯＴＯ６』では、当該投票用紙に複数の枠部が設けられており、各枠部のそれぞれには、１から４３までの数字が記載されている。
【０００６】
そして、当該投票用紙の購入者は、少なくとも一つの枠部内の１から４３までの数字の中から、６個の数字を選択し、選択した数字を当該投票用紙の当該枠部内の対応する数字部分をマーキングするものである。
【０００７】
同様に、『ＭＩＮＩＬＯＴＯ』では、一つの枠部内に１から３１までの数字が記載されているので、その中から５個の数値を任意に選択して当該投票用紙の当該枠部内の対応する数字部分をマーキングするものである。
【０００８】
叉、『ＮＵＭＢＥＲＳ４』に有っては、当該投票用紙に設けられている複数個の枠部のそれぞれには、一桁の数値を表す０〜９までの数字が一列に配列された数値群が４桁分平行に記載されており、当該投票用紙の購入者は、少なくとも一つの枠部内に於いて、４桁の数字を選択するものであって、各桁毎に、当該０〜９までの数字の一つを選択してマーキングする事によって、４桁の数字を選択して投票する事になる。
【０００９】
同様に、『ＮＵＭＢＥＲＳ３』に有っては、当該投票用紙に設けられている複数個の枠部のそれぞれには、一桁の数値を表す０〜９までの数字が一列に配列された数値群が３桁分平行に記載されており、当該投票用紙の購入者は、少なくとも一つの枠部内に於いて、３桁の数字を選択するものであって、各桁毎に、当該０〜９までの数字の一つを選択してマーキングする事によって、３桁の数字を選択して投票する事になる。
【００１０】
然しながら、係る数字選択式宝くじを購入して所望の数値を選択してマーキングする作業は、簡単な様で実際には、数値の選択には、多くの当該数字選択式宝くじ購入者は苦労しているのが現状である。
【００１１】
つまり、当該数字選択式宝くじの購入枚数が少ない場合は、特に問題はないが、当該数字選択式宝くじの購入枚数が多い購入者や、当該数字選択式宝くじの種類も増え、その発行回数も増大して来ると、各当該数字選択式宝くじの購入者が、所望の数字を選択して記入するかなり面倒な作業となり、数値を考えるのが億劫で精神的負担が増大して来ている。
【００１２】
かかる問題を解決する為に、例えば、市販の乱数発生器を利用したり、或いは最近では、コンピュータを利用して乱数を発生させるソフトウェアも利用されているが、係る乱数発生器やコンピュータソフトウェアを利用した乱数発生器に於いてや、コストがかかると同時に、周期性が存在するという懸念があることから完全な乱数を常に得られると言う保証も無いという問題もあり、更には、何時でも、何処でも自由に利用出来る環境にはないという欠点もあることから、数字選択式宝くじ愛好者の間では、その利用度は余り高くないのが現状である。
【００１３】
一方、ビンゴゲームの場合には、同様に、１〜７５までの数値が使用されるものであり、例えば、１〜７５までの各数値を何れか一つを重複することなく記載した７５個の小球、札を適宜の番号選択具、例えば、図５に示す様な多角形の回転式空洞１１体内に当該１〜７５までの各数値を何れか一つを記載した７５個の小球、札４等を入れ、当該空洞体１１に所定の回転を与えた後で所定の取り出し部から当該小球、札４を一つづつ取り出し、取り出された当該小球、札に記載された番号を選択番号として確定し、マークシート１２の該当番号位置に孔をあける様に、するとか、１〜７５までの数値をランダムに発生させる電子機器を利用するとかの方法が採用されている。
【００１４】
然しながら、ビンゴゲームを楽しむ為には、上記した様な特定の番号選択装置が必要であり、何時でも何処でもビンゴゲームを簡単に楽しむ事が不可能である。
【考案の開示】
【考案が解決しようとする課題】
【００１５】
従って、本考案の目的は、上記のような従来の欠点を改善し、当該数字選択式宝くじやビンゴゲームの愛好者が、低コストで、然も、何時でも、何処でも容易に利用でき、且つ他人まかせの状況ではなく、或る程度自己責任の下で、所望の数値を選択できる番号選択具を提供するものである。
【００１６】
更に、本考案の他の目的は、当該数字選択式宝くじやビンゴゲームの愛好者が低コストで、然も、何時でも、何処でも容易に当該数字選択式宝くじ或いはビンゴゲーム用に使用する数値を選択できる数字選択式宝くじ用或いはビンゴゲーム用番号選択セットを提供するものである。
【課題を解決するための手段】
【００１７】
本考案は上記した目的を達成する為、以下に示す様な基本的な技術構成を採用するものである。即ち、本考案に於ける第１の態様としては、平板状の本体部に、所定の形状を持った複数個のコマ部材が取り外し自在に嵌め込まれている数字選択式宝くじ用或いはビンゴゲーム用番号選択具であり、叉本考案の第２の態様としては、上記した番号選択具と適宜の不透明性を持つ袋若しくは箱体とを組み合わせた数字選択式宝くじ用或いはビンゴゲーム用番号選択セットである。
【考案の効果】
【００１８】
本考案は、上記した様な技術構成を採用しているので、当該数字選択式宝くじ或いはビンゴゲームの愛好者が、低コストで、然も、何時でも、何処でも容易に利用でき、且つ他人まかせの状況ではなく、或る程度自己責任の下で、所望の数値を選択できる番号選択具が提供されるものであり、更には、当該数字選択式宝くじやビンゴゲームの愛好者が低コストで、然も、何時でも、何処でも容易に当該数字選択式宝くじやビンゴゲームに使用する数値を選択できる数字選択式宝くじ用或いはビンゴゲーム用番号選択セットが提供されるものである。
【考案を実施するための最良の形態】
【００１９】
以下に、本考案に係る数字選択式宝くじに使用される番号選択具の場合の一具体例の構成を図面を参照しながら詳細に説明する。
【００２０】
本考案をビンゴゲーム用の番号選択具として使用する場合には、数値の数が増えるだけであるので、その詳細な説明は省略する。
【００２１】
即ち、図１は、本考案に係る数字選択式宝くじ用番号選択具１の一具体例の構造を示す図であって、図中、平板状の本体部２に、所定の形状を持った複数個のコマ部材３が取り外し自在に嵌め込まれている数字選択式宝くじ用番号選択具１が示されている。
【００２２】
本考案に於ける当該番号選択具１に於いては、当該平板状の本体部２と当該コマ部材３は、同一の材料で構成されている事が望ましい。
【００２３】
本考案に於ける当該本体部２の大きさは特に特定されるものではないが、例えば、縦１５〜２５ｃｍ、横１０〜１５ｃｍ程度の大きさを持つ矩形状の平板であっても良く、場合によっては、円形若しくは楕円形に形成されているものであっても良い。
【００２４】
一方、本考案で使用される当該コマ部材３の大きさや形状は特に限定されるものではないが、例えば、その平面形状が、円形、楕円形、三角形、四角形を含む矩形、台形、５角形若しくはそれ以上の多角形、半円形、三日月形、星形、歯車形、或いはこれらの何れかを適宜組み合わせた形状から選択された一つの平面形状を有しているものである事が好ましい。
【００２５】
更に、当該本体部２に配置搭載される当該複数個のコマ部材３の数も特に限定されないが、少なくとも４３個が配置搭載されていることが望ましい。
【００２６】
叉、当該コマ部材３に更に１個或いは２個を含む複数個のスペアーコマ部材５を含めておく事も望ましい。
【００２７】
本考案に於ける当該コマ部材３は、当該本体部２に規則正しく配列されている事が望ましい。
【００２８】
例えば、図１に示す様に、当該本体部２に縦・横方向にマトリックス状に規則的に配置されている事が望ましい。
【００２９】
本考案に於ける当該本体部２の厚みも特に特定されるものではない。
【００３０】
処で、本考案に於ける当該番号選択具１に於ける、当該本体部２と当該コマ部材３とは、同じ材料で構成されている事が望ましく、例えば、金属板状体、フィルム等を含む合成樹脂板状体、発泡ウレタン、発泡スチロール等を含む発泡合成樹脂板状体、紙板状体、コルク等を含む、木材チップ、木材くず等から形成された粉体成型体或いはこれらの積層材若しくは複合材からなる板状体の何れかにより形成されている事が好ましい。
【００３１】
本考案に使用される当該複数個のコマ部材３は、何れも同一の大きさに形成され且つ同一の平面形状を有しているものである事が必要である。
【００３２】
本考案に於ける当該コマ部材３は、当該本体部２に取り出し自在に嵌め込まれていることが必要である。
【００３３】
即ち、本考案に於いては、図３（Ａ）に示す様に、適宜の手段例えば、当該本体部２に打ち抜き方式、ポンチ方式、或いは切断方式によって、当該コマ部材３は予め定められた所定の平面形状となる様に、当該本体部２から分離されているが、容易に当該本体部２から脱落するように構成されているものではなく、使用者が必要とする時に当該コマ部材３を当該本体部２から容易に分離、取り外しする事が可能であり、叉当該コマ部材３を使用した後に、再び当該本体部２に嵌め込む事によって、当該コマ部材３を当該本体部２に保持させておく様にするものである。
【００３４】
その為には、当該本体部２と当該コマ部材３とは、その両者の間に適切な摩擦力が働く様な構成にしておく事が望ましい。
【００３５】
例えば、当該本体部２と当該コマ部材は、発泡合成樹脂で構成し、適宜の断面形状のカッター、或いはポンチを使用して切断切れ目を形成するか、或いは、当該本体部２の後述する開口部の内周縁部と当該コマ部材３の外周縁部との間に適宜の突起状物７を設ける様に構成したものであってもよい。
【００３６】
つまり、本考案に於いては、図３（Ｂ）に示す様に、当該本体部２には、当該コマ部材の平面形状と外形寸法と同一の内径寸法を有し、且つ当該コマ部材３の平面形状と同一の平面形状を持つ開口部８が設けられており、当該コマ部材３が当該開口部８内に着脱自在に嵌合保持せしめられる様に構成されている事好ましい。
【００３７】
更に、上記した様に、当該開口部８は当該本体部２にマトリックス状に規則的に配置されている事も望ましい。
【００３８】
次に、本考案に於ける当該複数個のコマ部材３のそれぞれには、例えば、０から４３までの番号の何れか一つが、互いに重複することなく個別に表記されているものである。
【００３９】
叉、ビンゴゲーム用の番号選択具に於いては、１〜７５の番号が使用されるので、当該コマ部材３の数も７５個となり、適宜の数のスペーサを含める事も可能である。
【００４０】
かかる数値の上限は、特に限定されるものではなく、例えば、『ＬＯＴＯ６』に使用される当該番号選択具であれば当該コマ部材３は４３個の当該本体部２から取り外されたコマ部材４が番号の選択のために使用される事になるので個々のコマ部材４に印刷若しくは添着で表示される数値は１から４３となるが、他の数字選択式宝くじでは別の数の数字で構成されることは言うまでもない。
【００４１】
例えば、『ＮＵＭＢＥＲＳ４』或いは『ＮＵＭＢＥＲＳ３』では、０から９迄の数字が使用されるので、０の数字を持つコマ部材３も必要である。
【００４２】
更に、本考案に於いては、図２（Ａ）及び図２（Ｂ）に示す様に、該複数個のコマ部材３のそれぞれの表裏両面には同一の番号が付与されている事が使用上便利である。
【００４３】
従って、本考案に於いては、例えば、１つの具体的実施例として、当該番号選択具１の当該矩形状の平板状本体部２に図１或は図２に示す様に、横５個、縦９個の合計４５個の円形の平面形状を有するコマ部材３をマトリックス状に着脱自在に配置形成し、それぞれのコマ部材３の表裏両面に０から４３までの番号を印刷し、つまり、一つのコマ部材３は、表裏面に同じ番号が印刷される様に構成し、残りの１つのコマ部材３には番号を印刷せずにスペアー用のコマ部材５として使用する様に構成したものであれば、上記した４種類の数字選択式宝くじの何れにも番号選択具１として使用可能である。
【００４４】
即ち、当該番号選択具１を『ＬＯＴＯ６』に対する番号選択具１として使用したい場合には、当該本体部２から１〜４３迄の番号を表示された４３個のコマ部材４を当該本体部２から分離させて、所定の袋或いは箱体、若しくはポケットの中に挿入し、その中から任意の６個のコマ部材４を一つづつ順に抽出する事によって、抽出順に当該『ＬＯＴＯ６』の投票用紙の所定の枠部内の選択番号として決定してゆけば良い。
【００４５】
他の枠部の番号を選択する場合は、同じ当該本体部２から分離してある４３個のコマ部材４の中から再度、任意の６個のコマ部材４を一つづつ順に抽出する事を繰り返す事によって実行できる。
【００４６】
同様に、当該番号選択具１を『ＭＩＮＩＬＯＴＯ』に対する番号選択具１として使用したい場合には、当該本体部２から１〜３１迄の番号を表示された３１個のコマ部材４を当該本体部２から分離させて、その中から任意の５個のコマ部材４を抽出する事によって、抽出順に当該『ＭＩＮＩＬＯＴＯ』の投票用紙の所定の枠部内の選択番号として決定してゆけば良い。
【００４７】
次に、当該番号選択具１を『ＮＵＭＢＥＲＳ４』に対する番号選択具１として使用したい場合には、当該本体部２から０〜９迄の番号を表示された１０個のコマ部材４を当該本体部２から分離させて、その中から一桁用の数字として任意の１個のコマ部材４を抽出する事によって、当該『ＮＵＭＢＥＲＳ４』の投票用紙の所定の枠部内に於ける第１の桁の数字が選択され決定される。
【００４８】
そして、第２の桁に関しては、当該抽出した一つのコマ部材４を戻し、再度当該１０個のコマ部材４の中から一桁用の数字として任意の１個のコマ部材４を再抽出することによって第２の桁の数値が選択決定され、以下第４の桁まで上記操作を繰り返して、最終的にその抽出順に当該『ＮＵＭＢＥＲＳ４』投票用紙の所定の枠部内の４桁の選択番号が決定されることになる。
【００４９】
一方、当該番号選択具１を『ＮＵＭＢＥＲＳ３』に対する番号選択具１として使用したい場合には、当該本体部２から０〜９迄の番号を表示された１０個のコマ部材４を当該本体部２から分離させて、その中から一桁用の数字として任意の１個のコマ部材４を抽出する事によって、当該『ＮＵＭＢＥＲＳ３』の投票用紙の所定の枠部内に於ける第１の桁の数字が選択され決定され、この操作を３回繰り返す事によって、当該『ＮＵＭＢＥＲＳ３』投票用紙の所定の枠部内の３桁の選択番号が決定されることになる。
【００５０】
ビンゴゲームの場合でも全く同様のことが言える。
【００５１】
叉、本考案に於いて、当該番号選択具１の本体部２から分離された所定の数のコマ部材４を、適当な外部から内部を透視できない不透明な材料で構成された袋状あるいは箱体の部材６の中に挿入し、或いは衣服のポケット内に挿入し、当該数字選択式宝くじの投票用紙を入手した者が、当該袋材、箱体或いは衣服のポケットに内蔵されている当該複数個のコマ部材４を、当該コマ部材４を当該袋材、箱体或いは衣服のポケットから目視しないで適宜に一つづつ取り出して、当該コマ部材４の取り出し順にそのコマ部材４に表記されている番号を選択番号として決定し投票用紙に記入して行くものである。
【００５２】
その際、当該袋、箱体或いは衣服のポケットに対して、適宜の振動や揺動操作を与えて、その中に内蔵されている当該複数個のコマ部材４を不規則にかく乱させて当該コマ部材４を当該袋、箱体或いは衣服のポケット６等から取り出す際のランダム性を出来るだけ確保する事が望ましい。
【００５３】
本考案に於いては、上記した番号選択操作を、何時でも、何処でも容易に実施できるように、図４に示す様に、上記した当該番号選択具１と任意の形状と大きさをもつ不透明性を持つ材料で構成された袋若しくは箱体６とを組み合わせたキット１０として所定の販売店で販売する様にすることが望ましい。
【００５４】
その際、当該箱体６は、例えば、折り畳式或いは組み立て式の箱体である事が好ましい。
【００５５】
更に、当該キット１０として、当該番号選択具１の使用方法を説明した説明書９が含まれている事も望ましい。
【図面の簡単な説明】
【００５６】
【図１】図１は、本考案に係る番号選択具１の一具体例とその使用方法の一例を示す斜視図である。
【図２】図２（Ａ）及び図２（Ｂ）は、本考案に使用される番号選択具１の他の具体例に於ける、表面の状態と裏面の状態とを示す図である。
【図３】図３（Ａ）及び図３（Ｂ）は、本考案に使用される番号選択具１に於けるコマ部材３の本体部２の開口部８に対する嵌め合わせ状態の例を示す図である。
【図４】図４は、本考案に係る数字選択式宝くじ用或いはビンゴゲーム用番号選択セットの一例を示す図である。
【図５】図５は、従来のビンゴゲーム用番号選択具とマークトの一例を示す図である。
【符号の説明】
【００５７】
１    番号選択具
２    本体部
３    コマ部材
４    分離されたコマ部材
５    スペア用コマ部材
６    袋体又は箱体
７    突起部
８    開口部
９    説明書
１０  数字選択式宝くじ用又はビンゴゲーム用番号選択セット
１１  ビンゴゲーム用番号選択
１２  ビンゴゲーム用マークシート
【図１】
0003105211.tif 000003
【図２】
0003105211.tif 000004
【図３】
0003105211.tif 000005
【図４】
0003105211.tif 000006
【図５】
0003105211.tif 000007